(57)【要約】【課題】ロック機構を備えつつも、製造から内容物の充填、封緘までを効率よく行うことができる箱体を提供する。【解決手段】折り線を介して連設された複数の側面と、複数の側面の少なくとも一つと接合される天面３１および地面３２とを備え、多角柱状に形成される箱体１は、複数の側面の一つに連設された第一補助面２１と、第一補助面に連設された第二補助面２２と、第一補助面と第二補助面とを切離可能に接続するミシン目６１とを備え、ミシン目６１は、第二補助面に位置する第一領域と、第一補助面に位置する中間領域とを有し、第二補助面は、第一補助面に対して外側に折り返された状態で、複数の側面のうち、第一補助面が連設されていない第一面１１と接合されている。【選択図】図３
2015105125.tif 000002
【特許請求の範囲】
【請求項１】
折り線を介して連設された複数の側面と、前記側面の少なくとも一つと接合される天面および地面とを備え、多角柱状に形成される箱体であって、
前記複数の側面の一つに連設された第一補助面と、
前記第一補助面に連設された第二補助面と、
前記第一補助面と前記第二補助面とを切離可能に接続する切離補助線と、
を備え、
前記切離補助線は、前記第二補助面に位置する第一領域と、前記第一補助面に位置する中間領域とを有し、
前記第二補助面は、前記第一補助面に対して外側に折り返された状態で、前記複数の側面のうち、前記第一補助面が連設されていない側面と接合されている、箱体。
【請求項２】
前記天面および前記地面の内側に形成され、前記複数のうち少なくとも二つと接合される第二天面および第二地面をさらに備え、
前記天面と前記第二天面、および前記地面と前記第二地面がスポット接合され、
前記天面および地面のうち前記スポット接合された部位を残りの部位から切離可能とする第二切離補助線が前記天面および前記地面に設けられている、請求項１に記載の箱体。
【請求項３】
前記第二切離補助線の少なくとも一方の端部が、前記天面および前記地面の頂点近傍に位置している、請求項２に記載の箱体。
【発明の詳細な説明】
【技術分野】
【０００１】
本発明は、箱体、より詳しくは、ロック機構を備え、繰り返し開閉が可能な箱体に関する。
【背景技術】
【０００２】
従来、スナック菓子等の各種食品には、内袋に密封された状態で紙製の箱体に充填されて流通しているものがある。このような箱体には、食品を食べきらずに一時保存する際の便宜のために、ロック機構を設け、開封後に再度密閉できるようにしたものが知られている。
【０００３】
ロック機構を備えて繰り返し開閉可能な箱体としては、例えば、特許文献１に記載のものがある。特許文献１では、箱体を構成する２つの部位の一方に櫛形フラップを設け、他方に櫛形フラップに対応する形状の切欠部を有するフラップを貼り付けている。２つの部位を合わせると、フラップの切欠部と櫛形フラップとが係合し、ロックがかかった状態で箱体を閉じることができる。これにより、一度開封した後も、再度密閉することができる。
【先行技術文献】
【特許文献】
【０００４】
【特許文献１】実開昭６０−４７２１３号公報
【発明の概要】
【発明が解決しようとする課題】
【０００５】
しかしながら、特許文献１に記載の箱体は、構造上、箱体を展開したブランクシートに内容物を包み込みながら箱体を形成する手順で形成する必要がある。このような手順の製造では、ブランクシートをトレイ状に組み立てる製函機と、内容物を充填後に封緘する封緘機との２つの装置が少なくとも必要になるため、量産にあたり投資負担が大きくなるという問題がある。
また、箱体を立体状に組み上げてからロック機構を構築していくため、立体形状に不備等が生じると、ロック機構が機能しなくなる場合がある。したがって、要求される製造精度が比較的高く、歩留まり低下を招きやすい。
【０００６】
本発明は、上記事情に鑑みてなされたものであり、ロック機構を備えつつも、製造から内容物の充填、封緘までを効率よく行うことができる箱体を提供することを目的とする。
【課題を解決するための手段】
【０００７】
本発明は、折り線を介して連設された複数の側面と、前記側面の少なくとも一つと接合される天面および地面とを備え、多角柱状に形成される箱体であって、前記複数の側面の一つに連設された第一補助面と、前記第一補助面に連設された第二補助面と、前記第一補助面と前記第二補助面とを切離可能に接続する切離補助線とを備え、前記切離補助線は、前記第二補助面に位置する第一領域と、前記第一補助面に位置する中間領域とを有し、前記第二補助面は、前記第一補助面に対して外側に折り返された状態で、前記複数の側面のうち、前記第一補助面が連設されていない側面と接合されている箱体である。
【０００８】
本発明の箱体においては、前記天面および前記地面の内側に形成され、前記複数のうち少なくとも二つと接合される第二天面および第二地面をさらに備え、前記天面と前記第二天面、および前記地面と前記第二地面がスポット接合され、前記天面および地面のうち前記スポット接合された部位を残りの部位から切離可能とする第二切離補助線が前記天面および前記地面に設けられてもよい。
このとき、前記第二切離補助線の少なくとも一方の端部が、前記天面および前記地面の頂点近傍に位置してもよい。
【発明の効果】
【０００９】
本発明の箱体によれば、ロック機構を備えつつも、製造から内容物の充填、封緘までを効率よく行うことができる。
【図面の簡単な説明】
【００１０】
【図１】本発明の一実施形態の箱体を示す斜視図である。
【図２】図１のＩ−Ｉ線における断面図である。
【図３】同箱体を開封した状態を示す斜視図である。
【図４】同箱体を形成するためのブランクシートを示す図である。
【図５】同ブランクシートから箱体を形成する一過程を示す図である。
【図６】同ブランクシートから箱体を形成する一過程を示す図である。
【図７】同箱体の中間体を示す図である。
【発明を実施するための形態】
【００１１】
本発明の一実施形態について、図１から図７を参照して説明する。
図１は、本実施形態の箱体１を示す斜視図である。箱体１は、紙等の折り曲げ可能な材料で形成されている。箱体１は、正六角形の天面３１および地面３２と、略長方形の６つの側面とを有する略六角柱状に形成されている。
【００１２】
図２は、図１のＩ−Ｉ線における断面図である。箱体１の側面は、折り曲げ線を介して順に連設され、六角柱形状の外側面を構成する第一面１１、第二面１２、第三面１３、第四面１４、第五面１５、および第六面１６と、第六面に連設されて第一面１１と第六面１６とを接続する第一補助面２１および第二補助面２２とを有する。
第一面１１と第六面１６とは、第一補助面２１が第六面１６の内側（箱体の内部側）に入り込み、第一補助面２１に対して外側に折り返された第二補助面２２が第一面１１の内面と糊付け等により接合されることで接続されている。これにより、箱体１の側面は、箱体１が完成した際に密閉状態を保持できるように接続されている。
【００１３】
使用者が第一面１１と第一補助面２１とに手や指等を掛け、二つの面を引き離すように力を加えると、箱体１は、図３に示すように、側面から開封される。
図３に示すように、地面３２の内側には、六角形の第二地面４２があり、第二地面４２と、第四面１４、第五面１５、第六面１６、および第一補助面２１とが接続されている。同様に、天面３１の内側には、六角形の第二天面４１があり、第二天面４１と、第四面１４、第五面１５、第六面１６、および第一補助面２１とが接続されている。
一方、天面３１および地面３２は、第一面１１、第二面１２、および第三面１３と接続されている。
【００１４】
上記のような構造により、箱体１は、第二天面４１、第二地面４２、第四面１４、第五面１５、第六面１６、および第一補助面２１を含む第一分割体５１と、天面１１、地面１２、第一面１１、第二面１２、および第三面１３を含む第二分割体５２とを備える。使用者が第三面１３と第四面１４との間の折り曲げ線に沿って第一分割体５１と第二分割体５２とを外側に折り曲げると、箱体１が開く。
【００１５】
箱体１が開封されるとき、第一補助面２１と第二補助面２２とは、両者の間に設けられたミシン目（切離補助線）６１に沿って切り離される。第一補助面２１には、折り返された第二補助面の一部がフラップ６２として残留する一方、第一補助面２１の一部が第二補助面２２側に残留して、第一補助面２１に被係止部６３が形成される。
【００１６】
箱体１を一度開封した後に第一分割体５１と第二分割体５２とを接近させるように折り曲げると、箱体１が閉じられるとともに、フラップ６２が第一面１１の内面に接合された第二補助面２２に係止され、第一分割体５１と第二分割体５２とがロックされる。このように、第一補助面２１と第二補助面２２とで形成されたロック機構により、箱体１が密閉された状態が保持される。第一面１１のうち第六面１６に近い側に形成された係止片１１ａを第一補助面２１の内側に差し込むようにして被係止部６３に係止すると、より好適に箱体１の密閉状態を保持することができる。
【００１７】
上述のような構造を有する本実施形態の箱体１は、一枚のブランクシートから簡便にかつ効率よく製造することができる。
図４は、箱体１を形成するためのブランクシート１０１を示す図である。天面３１および地面３２は、折り線を介して第二面１２と直接接続されている。同様に第一天面４１および第二地面４２は、折線を介して第五面１５と直接接続されている。第一面１１、第三面１３、第四面１４、第五面１５、および第一補助面２１の長手方向である天地方向両端には、それぞれ接合される天地面との糊付け面となる舌片７１が折り線を介して接続されている。各舌片７１は、天地方向両側に向かうにしたがって徐々に幅が狭くなるように、台形状または略三角形状に形成されている。
【００１８】
天面３１および地面３２には、開封時に切り離されるミシン目（第二切離補助線）７５が形成されている。ミシン目７５の一方の端部は、天面３１および地面３２の辺のうち、第二面との境界となる折り線と対向する辺の中間部Ｐ１に位置し、他方の端部は、天面３１および地面３２の頂点のうち、もっとも第三面１３側に位置する頂点７２ａおよび７２ｂ近傍の位置Ｐ２に位置している。位置Ｐ２は、いずれも頂点７２ａおよび７２ｂよりも第二面１２から遠い位置にあり、舌片７１が天面３１および地面３２と接合された際に、ミシン目７５と舌片７１とが重ならないように設定されている。
【００１９】
第一補助面２１と第二補助面２２とを切り離すためのミシン目６１の両端は、第二補助面２２に位置している。ミシン目６１は、両端部から一定の長さ天地方向中間部に向かって延びた後、滑らかに折れ曲がって第一補助面２１に向かい、さらに折れ曲がって天地方向中間部に向かって延び、最後にわずかに第六面１６側に変位してから天地方向に延びて接続されている。これにより、ミシン目６１は、フラップ６２を形成するための両端部の第一領域６１ａと、被係止部６３を形成するとともに二つの第一領域６１ａを接続する中間領域６１ｂとを有している。
箱体１の側面を構成する８つの面のうち、第一面１１および第二補助面２２は、他の面よりも幅が狭くなっている。
【００２０】
ブランクシート１０１から内容物の充填された箱体１を製造する際の手順の一例について説明する。以下では、図４に示されたブランクシート１０１の面が、箱体１の外面を形成する表面（おもてめん）であるものとして説明する。
【００２１】
ブランクシート１０１においては、予め、第一補助面２１および第二補助面２２の少なくとも一方に剥離ニス等の易剥離剤を印刷等により塗布しておく。このとき、他の面に内容物に関する情報や意匠性を発揮するデザイン等を易剥離剤と共に印刷してもよい。
【００２２】
次に、第二補助面２２の表面に、糊や接着剤等の接合材料を天地方向に延びる線状に塗布し、第一補助面２１と第二補助面２２との境界線である折り線Ｌ１に沿って第二補助面２２を表側に折り曲げ、第一補助面２１と接合する。第二補助面２２と第一補助面２１とが接合された状態を図５に示す。第一補助面２１と第二補助面２２とは、接合材料と易剥離剤とにより、略平坦なシート状を保持しつつ、軽い力を加えると剥離できる程度に仮止めされた状態となっている。易剥離剤は、第一補助面２１上にのみ塗布するのが好ましい。このようにすると、箱体を開いたときに易剥離剤は、必ず第二補助面側に粘着するため、使用者の手に接合材料がつきにくいという利点がある。
【００２３】
次に、第二補助面２２が仮止めされた第一補助面２１を、第六面１６との境界線である折り線Ｌ２に沿って裏側に折り曲げる。図６に、第一補助面２１が裏側に折り曲げられた状態を示す。図５は、説明のためにブランクシート１０１が裏返された状態で示しており、第一補助面２１に形成されたミシン目６１を破線で示している。
【００２４】
次に、第二補助面２２の裏面に接合材料を天地方向に延びる線状に塗布し、第二分割体を形成する領域を、第三面１３と第四面１４との間の折り線Ｌ３に沿って裏側に折り曲げ、第一面１１の裏面と第二補助面２２の裏面とを接合する。このとき、フラップとなる部分６２ａが第一面１１と接合されないよう、接合材料は部分６２ａをよけて塗布する。誤って部分６２ａに接合材料が塗布されて接合されても容易に剥離できるよう、予め部分６２ａの裏面に易剥離剤を塗布しておいてもよい。
【００２５】
ここまでの工程で、図７に示すように、箱体１に組立可能な筒状の中間体１０２が形成される。中間体１０２においては、六角柱状の箱体１の側面を形成する８つの面が、密閉状態を実現可能な状態で箱体１の周方向に接続されている。
【００２６】
中間体１０２の形成後、内容物の充填を行う。中間体１０２の側面の折り線を適宜折り曲げ、天地が開放された断面六角形の筒状とし、開放されている天地のいずれかの開口から内部空間に内容物を充填する。その後、第四面１４、第六面１６、および第一補助面２１の舌片７１を折り曲げてから、第二天面４１および第二地面４２を折り曲げて舌片７１と接合材料により接合する。次に、第一面１１および第三面１３の舌片７１を折り曲げる。最後に、折り曲げた天面３１および地面３２と舌片７１とを接合するとともに、ミシン目７５に囲まれた略四角形の領域を第二天面４１および第二地面４２とスポット接合すると、内容物が充填されて封緘された箱体１が完成する。
【００２７】
使用者が箱体１を開く際は、天面３１および地面３２がそれぞれミシン目７５に沿って二つに切り離される。その結果、第二天面４１および第二地面４２に接合された部分は第二天面４１および第二地面４２上に残留し、残りの部分は第二天面４１および第二地面４２に対して移動可能となる。これにより、図３に示すような開封が可能となる。
【００２８】
以上説明したように、本実施形態の箱体１によれば、複数の側面の一つに連設された第一補助面２１および第二補助面２２を備え、第一補助面と第二補助面とを分離可能にする切離補助線として機能するミシン目６１を設けておく。そして、第二補助面２２を外側に折り返して第一補助面が連設されていない側面の一つと接合することで、側面を開封可能であって開封前は側面の密閉状態が確保された中間体１０２を形成することができる。
ここで、中間体１０２を形成するために折り曲げられる折り線Ｌ１、Ｌ２、およびＬ３はすべて天地方向に延びて平行であり、かつ第二補助面２２を第一面１１と接合するための接合材料も天地方向に延びるように塗布されるため、中間体１０２を形成するためのすべての工程を、公知のサック貼り機を適宜設定することで実行することが可能となる。その結果、中間体１０２への内容物の充填および封緘も、汎用性の高い充填包装設備を小規模に改造または設定変更するだけで容易に行うことができる。したがって、箱体１は、ブランクシートに内容物を包み込みながら形成する方式によらず製造することができ、ブランクシート１０１からの中間体の形成、内容物充填、および封緘のすべての工程を効率よく行うことができる。
【００２９】
また、第一補助面２１と第二補助面２２とを切り離すためのミシン目６１は、フラップ６２を形成するための第一領域６１ａを有し、開封後にフラップ６２が再密閉時のロック機能を発揮する。すなわち、中間体１０２が形成された時点で、すでに再密閉のためのロック機構は構築されているため、箱の組立と別にロック機構を構築する必要がない。その結果、効率よく製造可能かつ要求される製造精度も過度に高くなく、ロック機構を備えつつも効率よく製造可能な箱体とすることができる。
【００３０】
さらに、天地面と接合される舌片７１が、略三角形または台形状に形成されているため、接合される際に舌片同士が干渉することが抑制される。
【００３１】
さらに、天面３１および地面３２を、スポット接合された第二天面４１および第二地面４２から切り離すためのミシン目７５の一方の端部は、組み立てられた際に第一分割体５１と第二分割体５２の境界となる折線Ｌ３の両端に位置する頂点７２ａ、７２ｂの近傍に位置している。これにより、第二天面４１および第二地面４２に対して移動可能になる天面３１および地面３２の形状における段差が少なくなり、再密閉時に第二天面４１および第二地面４２が天面３１および地面３２よりも外側に移動し、当該段差に引っ掛かって箱体１が閉じなくなる等の不具合を好適に抑制することができる。
【００３２】
以上、本発明の一実施形態について説明したが、本発明の技術範囲は上記実施の形態に限定されるものではなく、本発明の趣旨を逸脱しない範囲において各構成要素に種々の変更を加えたり、削除したり、各実施形態の構成を組み合わせたりすることが可能である。
【００３３】
例えば、本発明において、係止片および被係止部は必須ではない。すなわち、フラップ６２のみでも再密閉は問題なく行うことができ、係止片及び被係止部は、再密閉をより確実にするための補助的な構成に過ぎない。
また、ほかにも、ミシン目６１の形状を変更してフラップの大きさ、形状、数等を適宜変更してもよいし、舌片７１を側面でなく、各天地面の一方または両方に設けてもよい。さらに、両端が天面および地面の頂点近傍に位置するようにミシン目７５の形状を変更したり、第一面の幅寸法を他の側面と同様にしたりしてもよい。
【００３４】
さらに、本発明の箱体の形状は、上述した略六角柱状に限られない。したがって、略三角柱状を始めとする各種多角柱状とすることも可能である。ただし、略三角柱状であると、天地面の内角が小さくなる結果、開きにくくなるため、天地面が４以上の角を有する他角柱状とされるのが好ましい。
【００３５】
加えて、収容される内容物も、食品に限られず、各種内容物を収容するための箱体に適用できることは当然である。
【符号の説明】
【００３６】
１  箱体
１１  第一面（側面）
１２  第二面（側面）
１３  第三面（側面）
１４  第一面（側面）
１５  第一面（側面）
１６  第一面（側面）
２１  第一補助面
２２  第二補助面
３１  天面
３２  地面
４１  第二天面
４２  第二地面
６１  ミシン目（切離補助線）
６１ａ  第一領域
６１ｂ  中間領域
７５  ミシン目（第二切離補助線）
７２ａ、７２ｂ  頂点
Ｌ１、Ｌ２、Ｌ３  折り線
【図１】
2015105125.tif 000003
【図２】
2015105125.tif 000004
【図３】
2015105125.tif 000005
【図４】
2015105125.tif 000006
【図５】
2015105125.tif 000007
【図６】
2015105125.tif 000008
【図７】
2015105125.tif 000009